【手続補正書】
【提出日】平成16年8月30日(2004.8.30)
【手続補正１】
【補正対象書類名】明細書
【補正対象項目名】発明の名称
【補正方法】変更
【補正の内容】
【発明の名称】プラネタリウム装置，プラネタリウムおよび星野投映原板
【手続補正２】
【補正対象書類名】明細書
【補正対象項目名】特許請求の範囲
【補正方法】変更
【補正の内容】
【特許請求の範囲】
【請求項１】
星に対応する透光点が集積する集積エリアとそれ以外の非集積エリアとに区画され，
前記集積エリアと前記非集積エリアとでは，形成されている透光点に対応する星の等級範囲が異なっていることを特徴とする星野投映原板。
【請求項２】
請求項１に記載する星野投映原板において，
前記集積エリアはさらに，透光点の集積密度によって複数の小エリアに区画され，
前記小エリアにより，形成されている透光点に対応する星の等級範囲が異なっていることを特徴とする星野投映原板。
【請求項３】
星に対応する透光点を有し，
隣接する投映器の投映エリアと重複する重複エリアとそれ以外の非重複エリアとに区画され，
前記重複エリアと前記非重複エリアとでは，形成されている透光点に対応する星の等級範囲が異なっていることを特徴とする星野投映原板。
【請求項４】
請求項３に記載する星野投映原板において，
前記重複エリアはさらに，投映器の投映中心点からの距離に基づいて複数の小エリアに区画され，
前記小エリアにより，形成されている透光点に対応する星の等級範囲が異なっていることを特徴とする星野投映原板。
【請求項５】
請求項３に記載する星野投映原板において，
前記重複エリアでは，投映する星の等級範囲が設定されており，設定範囲内の星に対応する透光点が形成されていることを特徴とする星野投映原板。
【請求項６】
請求項３に記載する星野投映原板において，
前記重複エリア内では，投映器の投映中心点からの距離に基づいて，投映する星の等級範囲が設定されており，設定範囲内の星に対応する透光点が形成されていることを特徴とする星野投映原板。
【請求項７】
星野投映原板を透過する光により星野を投映するプラネタリウム装置において，
前記星野投映原板は，
星に対応する透光点が集積する集積エリアとそれ以外の非集積エリアとに区画され，
前記集積エリアと前記非集積エリアとでは，形成されている透光点に対応する星の等級範囲が異なっていることを特徴とするプラネタリウム装置。
【請求項８】
星野投映原板を透過する光により星野を投映するプラネタリウム装置において，
前記星野投映原板は，
星に対応する透光点を有し，
隣接する投映器の投映エリアと重複する重複エリアとそれ以外の非重複エリアとに区画され，
前記重複エリアと前記非重複エリアとでは，形成されている透光点に対応する星の等級範囲が異なっていることを特徴とするプラネタリウム装置。
【請求項９】
請求項８に記載するプラネタリウム装置において，
２つの星野投映原板による映像が重複する領域内の星については，その等級に基づいていずれか一方の星野投映原板にその星に対応する透光点が設けられていることを特徴とするプラネタリウム装置。
【請求項１０】
請求項７から請求項９までのいずれか１つに記載するプラネタリウム装置と，
前記星野の映像が投映されるドームスクリーンとを備えることを特徴とするプラネタリウム。
【手続補正３】
【補正対象書類名】明細書
【補正対象項目名】０００１
【補正方法】変更
【補正の内容】
【０００１】
【発明の属する技術分野】
本発明は，プラネタリウム装置，プラネタリウムおよびそれらに用いる星野投映原板に関する。さらに詳細には，天の川，星団等の目視上ほの明るく知覚できる部分を，それ以外の部分とともに投映するプラネタリウム装置，プラネタリムおよび星野投映原板に関するものである。
【手続補正４】
【補正対象書類名】明細書
【補正対象項目名】０００７
【補正方法】変更
【補正の内容】
【０００７】
本発明は，前記した従来の技術が有する問題点を解決するためになされたものである。すなわちその課題とするところは，恒星の等級間の階調性が良好であり，実在性のある天の川等を投映することができるプラネタリウム装置，プラネタリウムおよび星野投映原板を提供することにある。
【手続補正５】
【補正対象書類名】明細書
【補正対象項目名】０００８
【補正方法】変更
【補正の内容】
【０００８】
【課題を解決するための手段】
この課題の解決を目的としてなされた請求項１に記載された発明の星野投映原板は，星に対応する透光点が集積する集積エリアとそれ以外の非集積エリアとに区画され，集積エリアと非集積エリアとでは，形成されている透光点に対応する星の等級範囲が異なっているものである。また，請求項７に記載された発明のプラネタリウム装置は，当該星野投映原板を透過する光により星野を投映するものである。また，請求項１０のプラネタリウムは，請求項７から請求項９までのいずれか１つに記載するプラネタリウム装置と，星野の映像が投映されるドームスクリーンとを備えることを特徴とする。
【手続補正６】
【補正対象書類名】明細書
【補正対象項目名】００１１
【補正方法】変更
【補正の内容】
【００１１】
さらに請求項２に記載された発明では，星野投映原板は，集積エリアが透光点の集積密度によって複数の小エリアに区画され，小エリアにより，形成されている透光点に対応する星の等級範囲が異なっているとよりよい。これにより，天の川等の濃淡を再現できる。すなわち，各エリア間のコントラストがより明確になり，リアリティのある星野を投映できる。
【手続補正７】
【補正対象書類名】明細書
【補正対象項目名】００１２
【補正方法】変更
【補正の内容】
【００１２】
請求項３に記載された発明の星野投映原板は，星に対応する透光点を有し，隣接する投映器の投映エリアと重複する重複エリアとそれ以外の非重複エリアとに区画され，重複エリアと非重複エリアとでは，形成されている透光点に対応する星の等級範囲が異なっているものである。また，請求項８に記載された発明のプラネタリウム装置は，当該星野投映原板を透過する光により星野を投映するものである。
【手続補正８】
【補正対象書類名】明細書
【補正対象項目名】００１４
【補正方法】変更
【補正の内容】
【００１４】
さらに，２つの星野投映原板による映像が重複する領域内の星については，その等級に基づいていずれか一方の星野投映原板にその星に対応する透光点が設けられていることとするとよりよい。これにより，重複して投映される星はなく，星野投映原板の製造コストの低減が図れる。また，投映器毎の担当する境界も観客から明瞭に認識できないため，リアリティのある星野を投映できる。
【手続補正９】
【補正対象書類名】明細書
【補正対象項目名】００１９
【補正方法】変更
【補正の内容】
【００１９】
本形態のプラネタリウム装置は，図１に示すように複数の恒星投映器４を有している。各恒星投映器４は，プラネタリウム装置が設置されるドーム内面に星野を投映するものであり，それぞれ全天の星野のうち割り当てられた領域を担当する。そして，各恒星投映器４の協働によりドームスクリーン全体に星野の映像を投映する。
【手続補正１０】
【補正対象書類名】明細書
【補正対象項目名】００３８
【補正方法】変更
【補正の内容】
【００３８】
【発明の効果】
以上説明した通り各請求項に記載された発明によれば，恒星の等級間の階調性が良好であり，リアリティのある天の川等を投映することができるプラネタリウム装置，プラネタリウムおよび星野投映原板が提供されている。